【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】  ｉ）不透明な被記録材上に少なくとも１つの着色剤を含む第１インクをインクジェット法で付与して可視画像を形成する工程；及び(ii)該被記録材の、該可視画像と相補的な部分に、該被記録材の色相を変化させない、或いは実質的に変化させない第２インクを付与する工程、を有し、それによって該可視画像と、該可視画像に対し相補的な部分との光沢感の差を緩和することを特徴とするインクジェット記録方法。
【請求項２】  該被記録材と、該第１インクとの組み合わせが、該被記録材の表面光沢よりも、該可視画像部の表面光沢が高くなるような関係を与える組み合わせであって、該第２のインクが、該被記録材の表面光沢を向上させるものである請求項１に記載のインクジェット記録方法。
【請求項３】  該第１のインクが、色材と光硬化型のオリゴマ−と光重合開始剤とを含み、また該第２のインクが、光硬化型のオリゴマ−と光重合開始剤とを含む請求項２に記載のインクジェット記録方法。
【請求項４】  該被記録材と、該第１のインクとの組み合わせが、該被記録材の表面光沢が、該可視画像部の表面光沢よりも高くなるような関係を与える組み合わせであり、該第２のインクが、該被記録材の表面光沢を低下させるものである請求項１に記載のインクジェット記録方法。
【請求項５】  該第１のインクが、色材として水不溶性の色材を分散状態で含んでいる水性インクであり、該第２のインクが、顔料を分散状態で含んでいる請求項４に記載のインクジェット記録方法。
【請求項６】  該第２のインク中の顔料が、透明あるいは無彩色の顔料である請求項５に記載のインクジェット記録方法。
【請求項７】  該透明或いは無彩色の顔料が、平均粒径２００nm以下のシリカ、平均粒径２００nm以下のアルミナ、及び平均粒径２００nm以下の酸化チタンから選ばれる少なくとも１つである請求項６に記載のインクジェット記録方法。
【請求項８】  不透明な被記録材上に少なくとも１つのインクをインクジェット法で形成されている可視画像を有するインクジェット記録画像であって、該可視画像と相補的に存在している被記録材の露出部に対して、該被記録材の露出部を着色しない、或いは実質的に着色しないインクを付与することにより、該可視画像と、該被記録材の露出部との間の、目視による光沢感が均一化されていることを特徴とするインクジェット記録画像。
【請求項９】  請求項１〜７の何れか1項に記載のインクジェット記録方法により得られたことを特徴とするインクジェット記録画像。
【請求項１０】  不透明な被記録材上に少なくとも１つのインクをインクジェット法を用いて付与することによって形成されてなる可視画像と、該可視画像と相補的な部分と、の間の光沢感の差を緩和する方法であって、該可視画像と相補的な部分に対して、該被記録材を着色しない、或いは実質的に着色しない第２のインクを付与する工程を有することを特徴とするインクジェット記録画像における光沢感の差の緩和方法。
【手続補正２】
【補正対象書類名】明細書
【補正対象項目名】００１５
【補正方法】変更
【補正の内容】
【００１５】
[８]  不透明な被記録材上に少なくとも１つのインクをインクジェット法で形成されている可視画像を有するインクジェット記録画像であって、該可視画像と相補的に存在している被記録材の露出部に対して、該被記録材の露出部を着色しない、或いは実質的に着色しないインクを付与することにより、該可視画像と、該被記録材の露出部との間の、目視による光沢感が均一化されていることを特徴とするインクジェット記録画像。
［９］  ［１］〜［７］の何れか1項に記載のインクジェット記録方法により得られたことを特徴とするインクジェット記録画像。
【手続補正３】
【補正対象書類名】明細書
【補正対象項目名】００１６
【補正方法】変更
【補正の内容】
【００１６】
[１０]  不透明な被記録材上に少なくとも１つのインクをインクジェット法を用いて付与することによって形成されてなる可視画像と、該可視画像と相補的な部分と、の間の光沢感の差を緩和する方法であって、該可視画像と相補的な部分に対して、該被記録材を着色しない、或いは実質的に着色しない第２のインクを付与する工程を有することを特徴とするインクジェット記録画像における光沢感の差の緩和方法。
【手続補正４】
【補正対象書類名】明細書
【補正対象項目名】００３２
【補正方法】変更
【補正の内容】
【００３２】
また、上記の紫外線硬化型のオリゴマーは、いずれも水酸基、スルフォン基、カルボキシル基、アンモニウム基を必要量付加し、水溶性を高めて使用しても良い。また、好ましい光重合開始剤として光開裂型のαヒドロキシフェニルケトンIrgacure2959（商品名：Ciba Specialty Chemicals）やその誘導体、プロトン引き抜き型のチオキサントン誘導体（3級アルカノールアミンに代表されるプロトン供与体を併用させて使用する）、などが良好である。光開始剤も同様に、エチレンオキシドや水酸基、スルフォン基、カルボキシル基、アンモニウム基を必要量付加し水溶性を高めて使用しても良い。また、光重合反応を促進するための反応性希釈剤を併用してもよく、モルホリンアクリレート、ビニルピロリドン、などが好ましい。また、光重合触媒、紫外線硬化型オリゴマーを溶解させるために少量の上記第１のインクセットに記載した有機溶剤をインク中に添加しても良い。
【手続補正５】
【補正対象書類名】明細書
【補正対象項目名】００４６
【補正方法】変更
【補正の内容】
【００４６】
第２インク
（A）紫外線硬化型クリアーインク
IRR289（ダイセルUCB社製）                                 １０wt.％
Irgacure2959（Chiba Specialty Chemicals）
のエチレンオキサイド付加物       ２wt.％
水                                                            ８８wt.％
（B）顔料インク用クリアーインク
アルミナ（１２０nm）                                             3wt.％
スチレンアクリル酸樹脂（分子量７０００）                         1wt.％
２−ピロリドン                                                  ５wt.％
トリエテレングリコールモノブチルエーテル                         5 wt.％
アセチレングリコール１０モルエチレンオキサイド付加体            １wt.％
水                                                            ８５wt.％
（C） 紫外線硬化型クリアーインク
IRR289（ダイセルUCB社製）                                     １０wt.％
Irgacure2959（Chiba Specialty Chemicals）
のエチレンオキサイド付加物        ２wt.％
酸化チタン分散体（粒径180nm）                  ３wt.％（顔料固形分濃度）
水                                                                ８５wt.％
被記録材
以下に示す被記録材において評価を行った。
光沢フィルム（HG201  キヤノン製）、光沢紙（ＰＲ１０１  キヤノン製）、光沢紙（ＧＰ３０１  キヤノン製）
実施例、参考例用いた第１インク、第２インク及び被記録材を表5に示した。